【手続補正書】
【提出日】平成16年11月24日(2004.11.24)
【手続補正１】
【補正対象書類名】明細書
【補正対象項目名】発明の名称
【補正方法】変更
【補正の内容】
【発明の名称】データ処理装置、プログラム、記憶媒体、及びデータ処理方法
【手続補正２】
【補正対象書類名】明細書
【補正対象項目名】特許請求の範囲
【補正方法】変更
【補正の内容】
【特許請求の範囲】
【請求項１】
フォーム情報の各フィールドに定義され且つ文字列の出力体裁を規定するピクチャ文字にしたがって、前記各フィールドに埋め込むフィールドデータの出力体裁を定めて、帳票出力するデータ処理装置であって、
元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成手段と、
前記文字列生成手段で生成された文字列を当該フィールドに埋め込んだ帳票を出力するように制御する出力制御手段と
を有することを特徴とするデータ処理装置。
【請求項２】
前記文字列生成手段は、前記元号の出力体裁が漢字表記の元号であるかアルファベット表記の元号であるかに基づいて、前記フィールドデータの和暦年の文字列を生成することを特徴とする請求項１に記載のデータ処理装置。
【請求項３】
前記文字列生成手段は、前記元号の出力体裁が漢字表記の元号である場合に、前記フィールドデータの和暦の年が“１”ならば、当該和暦の年を“元”に変換した文字列を生成することを特徴とする請求項１に記載のデータ処理装置。
【請求項４】
前記文字列生成手段は、前記元号の出力体裁が漢字表記の元号である場合に、前記フィールドデータの和暦の年が“１”以外ならば、前記フィールドデータの和暦の年を数字とした文字列を生成することを特徴とする請求項３に記載のデータ処理装置。
【請求項５】
前記文字列生成手段は、前記元号の出力体裁が漢字表記の元号であり且つ前記フィールドデータの和暦の年が“１”の場合、更に前記フィールドデータの和暦の年の出力体裁が全角文字に必要な文字幅を満たすか否か判断し、満たさないと判断したならば、当該和暦の年を半角の“１”とした文字列を生成することを特徴とする請求項３に記載のデータ処理装置。
【請求項６】
前記文字列生成手段は、前記元号の出力体裁がアルファベット表記の元号である場合、前記フィールドデータの和暦の年を数字とした文字列を生成することを特徴とする請求項１に記載のデータ処理装置。
【請求項７】
前記ピクチャ文字は、出力される文字列が全角であるか半角であるかの規定を含むことを特徴とする請求項１に記載のデータ処理装置。
【請求項８】
前記文字列生成手段は、前記ピクチャ文字列により和暦での出力が規定されている場合、西暦のフィールドデータを和暦に変換して、当該ピクチャ文字列に当てはめる文字列を生成することを特徴とする請求項１に記載のデータ処理装置。
【請求項９】
前記文字列生成手段は、西暦で出力するように規定されているピクチャ文字列に対しては前記フィールドデータを西暦であらわした文字列を生成することを特徴とする請求項１に記載のデータ処理装置。
【請求項１０】
前記フィールドデータと前記フォーム情報は、前記データ処理装置が接続されるネットワーク上の外部装置から取得可能であることを特徴とする請求項１に記載のデータ処理装置。
【請求項１１】
フォーム情報の各フィールドに定義され且つ文字列の出力体裁を規定するピクチャ文字にしたがって、前記各フィールドに埋め込むフィールドデータの出力体裁を定めて、帳票出力するデータ処理装置を制御するためのコンピュータ実行可能なプログラムであって、
元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成ステップと、
前記文字列生成ステップで生成された文字列を当該フィールドに埋め込んだ帳票を出力するように制御する出力制御ステップと
の各ステップを実行させるためのプログラムコードを含むことを特徴とするコンピュータ実行可能なプログラム。
【請求項１２】
前記文字列生成ステップでは、前記元号の出力体裁が漢字表記の元号であるかアルファベット表記の元号であるかに基づいて、前記フィールドデータの和暦年の文字列を生成することを特徴とする請求項１１に記載のプログラム。
【請求項１３】
前記文字列生成ステップでは、前記元号の出力体裁が漢字表記の元号である場合に、前記フィールドデータの和暦の年が“１”ならば、当該和暦の年を“元”に変換した文字列を生成することを特徴とする請求項１１に記載のプログラム。
【請求項１４】
前記文字列生成ステップでは、前記元号の出力体裁が漢字表記の元号である場合に、前記フィールドデータの和暦の年が“１”以外ならば、前記フィールドデータの和暦の年を数字とした文字列を生成することを特徴とする請求項１３に記載のプログラム。
【請求項１５】
前記文字列生成ステップでは、前記元号の出力体裁が漢字表記の元号であり且つ前記フィールドデータの和暦の年が“１”の場合、更に前記フィールドデータの和暦の年の出力体裁が全角文字に必要な文字幅を満たすか否か判断し、満たさないと判断したならば、当該和暦の年を半角の“１”とした文字列を生成することを特徴とする請求項１３に記載のプログラム。
【請求項１６】
前記文字列生成ステップでは、前記元号の出力体裁がアルファベット表記の元号である場合、前記フィールドデータの和暦の年を数字とした文字列を生成することを特徴とする請求項１１に記載のプログラム。
【請求項１７】
前記ピクチャ文字は、出力される文字列が全角であるか半角であるかの規定を含むことを特徴とする請求項１１に記載のプログラム。
【請求項１８】
前記文字列生成ステップでは、前記ピクチャ文字列により和暦での出力が規定されている場合、西暦のフィールドデータを和暦に変換して、当該ピクチャ文字列に当てはめる文字列を生成することを特徴とする請求項１１に記載のプログラム。
【請求項１９】
前記文字列生成ステップでは、西暦で出力するように規定されているピクチャ文字列に対しては前記フィールドデータを西暦であらわした文字列を生成することを特徴とする請求項１１に記載のプログラム。
【請求項２０】
前記フィールドデータと前記フォーム情報は、前記データ処理装置が接続されるネットワーク上の外部装置から取得可能であることを特徴とする請求項１１に記載のプログラム。
【請求項２１】
請求項１１乃至２０のいずれかに記載のコンピュータ実行可能なプログラムを格納した、コンピュータ読取り可能な記憶媒体。
【請求項２２】
フォーム情報の各フィールドに定義され且つ文字列の出力体裁を規定するピクチャ文字にしたがって、前記各フィールドに埋め込むフィールドデータの出力体裁を定めて、帳票出力するデータ処理装置を制御するためのデータ処理方法であって、
元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成ステップと、
前記文字列生成ステップで生成された文字列を当該フィールドに埋め込んだ帳票を出力するように制御する出力制御ステップと
を有することを特徴とするデータ処理方法。
【手続補正３】
【補正対象書類名】明細書
【補正対象項目名】０００１
【補正方法】変更
【補正の内容】
【０００１】
【発明の属する技術分野】
本発明は、フォームファイル上に定義されたフィールドに対し、データファイルからデータを供給し、重ね合わせることで帳票を作成処理するデータ処理装置、プログラム、記憶媒体、及びデータ処理方法に関する。
【手続補正４】
【補正対象書類名】明細書
【補正対象項目名】０００６
【補正方法】変更
【補正の内容】
【０００６】
本発明は、上述した点に鑑みなされたものであり、日本での慣習に馴染んだ和暦表示を可能としたデータ処理装置、プログラム、記憶媒体、及びデータ処理方法を提供することを目的とする。
【手続補正５】
【補正対象書類名】明細書
【補正対象項目名】０００７
【補正方法】変更
【補正の内容】
【０００７】
【課題を解決するための手段】
上記目的を達成するため、本発明は、フォーム情報の各フィールドに定義され且つ文字列の出力体裁を規定するピクチャ文字にしたがって、前記各フィールドに埋め込むフィールドデータの出力体裁を定めて、帳票出力するデータ処理装置であって、元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成手段と、前記文字列生成手段で生成された文字列を当該フィールドに埋め込んだ帳票を出力するように制御する出力制御手段とを有することを特徴とする。
【手続補正６】
【補正対象書類名】明細書
【補正対象項目名】０００８
【補正方法】変更
【補正の内容】
【０００８】
また、本発明は、フォーム情報の各フィールドに定義され且つ文字列の出力体裁を規定するピクチャ文字にしたがって、前記各フィールドに埋め込むフィールドデータの出力体裁を定めて、帳票出力するデータ処理装置を制御するためのコンピュータ実行可能なプログラムであって、元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成ステップと、前記文字列生成ステップで生成された文字列を当該フィールドに埋め込んだ帳票を出力するように制御する出力制御ステップとの各ステップを実行させるためのプログラムコードを含むことを特徴とする。
【手続補正７】
【補正対象書類名】明細書
【補正対象項目名】０００９
【補正方法】変更
【補正の内容】
【０００９】
また、本発明のコンピュータ読取り可能な記憶媒体は、上述したコンピュータ実行可能なプログラムを格納したことを特徴とする。
【手続補正８】
【補正対象書類名】明細書
【補正対象項目名】００１０
【補正方法】変更
【補正の内容】
【００１０】
また、本発明は、フォーム情報の各フィールドに定義され且つ文字列の出力体裁を規定するピクチャ文字にしたがって、前記各フィールドに埋め込むフィールドデータの出力体裁を定めて、帳票出力するデータ処理装置を制御するためのデータ処理方法であって、元号の出力体裁を規定するピクチャ文字を含むピクチャ文字列と当該ピクチャ文字列のフィールドに埋め込むフィールドデータとに基づいて、当該フィールドのピクチャ文字列に当てはめる文字列を生成する文字列生成ステップと、前記文字列生成ステップで生成された文字列を当該フィールドに埋め込んだ帳票を出力するように制御する出力制御ステップとを有することを特徴とする。